(57)【要約】      （修正有）【課題】操縦性がいいカ−トを提供する。【解決手段】使用者によって移動可能なカ−ト１であって、物を収納可能であり、キャスタ−付ボックス２の天板１１に設置された座席シ−ト１０と箱形状に形成されたキャスタ−付ボックス２の左右または前後の上端にそれぞれ回動自在に軸支された一対の操縦ハンドル３とを備え、操縦ハンドル３はその上端の前端近傍及び後端近傍に基端側が回動自在に軸支された下部部品６と、コの字状に形成されその両端が下部部品６の先端側に、下部部品に沿ってスライド自在に係合する上部部品５とを有し、上方に回動させ前方または後方から見て合掌形状にすることができ、一対の操縦ハンドル３は左右に下ろして脚足にもできる。【選択図】図１
2016116836.tif 000002
【特許請求の範囲】
【請求項１】
使用者によって移動可能なカ−トであって、物を収容可能であり、キャスタ−付ボックスの天板に設置された座席シ−トと箱形状に形成されたキャスタ−付ボックスの左右または前後の上端にそれぞれ回動自在に軸支された一対の操縦ハンドルとを備え、操縦ハンドルはその上端の前端近傍及び後端近傍に基端側が回動自在に軸支された下部部品と、コの字状に形成されその両端が下部部品の先端側に、下部部品に沿ってスライド自在に係合する上部部品とを有し、上方に回動させ前方または後方から見て合掌状にすることができ、一対の操縦ハンドルは左右に下ろし脚足にもできるカ−ト。
【請求項２】
天板の面から立設し、側板と内嵌する縁を備え、椅子を使用しない時の天板は、反転して物置台やテ−ブルとして機能する請求項１に記載のカ−ト。
【発明の詳細な説明】
【技術分野】
【０００１】  本発明は、カ−トに関し、特に使用者によって移動可能なカ−トに関するものである。
【背景技術】
【０００２】  従来のカ−トには、トランクの底にキャスタ−４つつけたトランクカ−ト、バッグの底にキャスタ−４つ付け片側に伸縮する取手を付けた旅行バッグカ−ト、椅子式で脇から背の方に手摺りがありその下に物入れがあるシルバ−カ−ト、ショッピングセンタ−等にあるお馴染みの買物カ−ト、折畳椅子に車輪を付け背や椅子下に小バックをぶら下げた折畳椅子小バック付カ−トなどがある。【０００３】  例えば、特許文献１には、開閉自在なケ−ス本体と、このケ−ス本体の底面に装着されたキャスタ−と、ケ−ス本体の一側面の中央部において引き出し自在に装着された伸縮ロドの上端に握り部を有する取手を備えるキャスタ−付の鞄が提案されている。
【先行技術文献】
【特許文献】
【０００４】
【特許文献１】特開平１０−１３７０２２号公報
【発明が解決しようとする課題】
【０００５】  しかしながら、特許文献１の鞄は、取手がケ−ス本体の一側面の中央部にのみ接続されている。このため使用者が取手を握って操縦するとバランスが崩れる場合も多く、操縦性が悪かった。
【０００６】  本発明は、操縦性がいいカ−トを提供することを目的とする。
【課題を解決するための手段】
【０００７】  （１）使用者によって移動可能なカ−トであって、物を収容可能であり、キャスタ−付ボックスの天板に設置された座席シ−トと箱形状に形成されたキャスタ−付ボックスの左右または前後の上端にそれぞれ回動自在に軸支された一対の操縦ハンドルとを備え、操縦ハンドルはその上端の前端近傍及び後端近傍に基端側が回動自在に軸支された下部部品と、コの字状に形成されその両端が下部部品の先端側に、下部部品に沿ってスライド自在に係合する上部部品とを有し、上方に回動させ前方または後方から見て合掌状にすることができ、一対の操縦ハンドルは左右に下ろして脚足にもできるカ−ト。
【０００８】  （２）カ−トは、天板の面から立設し、側板と内嵌する縁を備え、反転して物置台やテ−ブルとして機能する（１）に記載するカ−ト。
【発明の効果】
【０００９】  本発明によれば、操縦性がいいカ−トを提供することができる。
【図面の簡単な説明】
【００１０】
【図１】  本発明の実施例の外観斜視図
【図２】  同                左側面図
【図３】  同                  正面図
【図４】  同椅子使用時の固定板実施例と背面図
【図５】  同                  平面図
【図６】  同                  底面図
【図７】  同  ボックス底部の左側面図
【図８】  同椅子反転時天板縁の斜視図
【図９】  同椅子使用時のハンドル脚足と固定板の実施例
【図１０】  同ボックス前後の回転軸支とハンドルの実施例
【発明を実施するための形態】
【００１１】  （１）使用者によって移動可能なカ−ト１は、物を収納可能であり、キャスタ−付ボックス２の天板１１に設置された座席シ−ト１０と箱形状に形成されたキャスタ−付ボックス２の左右の側板１３ａ（図１に示す例）または前板１３ｂ及び後板１３ｃ（図１０に示す例）の上端にそれぞれ回動自在に軸支された一対の操縦ハンドル３とを備え、操縦ハンドル３はその上端の前端近傍及び後端近傍に基端側が回動自在に軸支された下部部品６とコの字に形成されその両端が下部部品６の先端側に、下部部品６に沿ってスライド自在に係合する上部部品５とを有し、上方に回動させ前方または後方から見て、合掌状にすることができ、一対の操縦ハンドル３は左右に下ろして脚足２２にもできる。
【００１２】  （２）カ−ト１は、天板１１の面から立設し、側板１３と内嵌する縁１２を備え、天板１１は反転して物置台、テ−ブル、脚立などとして機能させることができる。
【００１３】  本実施形態のカ−ト１は、カ−ト１全体を一体として、安全確実に操作できる操縦ハンドル３があり、操縦ハンドル３とキャスタ−付ボックス２との間に座席シ−ト１０が設けてあり座席シ−ト１０を使用するときには操縦ハンドル３を外すことができ、しかも何処へでも携行持ち込みができ、特にトイレ、レストラン、鉄道、バス、乗用車などでは有り難い存在で、加えてキャスタ−付ボックス２は比較的大きな容量なので非常用品や薬や水や食物等を積めば、防災用としても大いに活用でき、その他にもカ−ト１は、転ばない杖ウォ−キングのお供、歩行弱者の歩行援助、座席シ−ト１０を反転させて荷台、小テ−ブル、買物置台、脚立等々用途の多いスマ−トなデザインの椅子付多目的カ−トである。
【００１４】  椅子使用時にはハンドルが下に下りているので本体の移動時には、前板上部の取手２５と後板上部の取手２６をそれぞれ使用する。
【００１５】  キャスタ−付ボックス２の底の部分、左右の前輪キャスタ−１５は３６０度回転するもので、後輪キャスタ−１６は横向きのみに回転するもので、後輪キャスタ−１６の取り付けはボックス底部後部に突出し１８を設け後部角からキャスタ−が後方に張り出すようにすると、階段の上下時にジグザグに進行する後輪１６と階段との隙間ができジグザグに上下するときの階段に合わせるための移動が容易になる効果もある。
【００１６】  また階段を上下する場合、操縦ハンドル中央部３で全体を持ち上げて行なうのが通常あるが、後部に回って操縦ハンドル３の後部の左右に縦の位置にハの字にあるハンドル上部部品５の支柱部を持って上下移動を行なうと、荷物の重いときはこの方が楽な事もある。
【００１７】  左右のハンドル３を頂点で止める時や、脚足の拡がりを止める時は、面ファスナ−、ベルト、ヒモ、ロ−プなどで繋ぎ止める。
【００１８】  キャスタ−車輪の走行音は、以外に耳障りで疎ましいものであるので、音のしないゴム製またはノ−パンクタイヤなどにする。
【００１９】  キャスタ−付ボックス２のキャスタ−１５、１６にはストッパ−１７が付いているのでそのままでも十分座れるが、多少の揺れやズレがあるので、操縦ハンドル３を左右に下ろして脚足２２にする外に、水平維持や転倒防止の補助停止板２０をボックス２の底に、図６図７および図９のように取付ければ二重三重の安全効果がある。
【００２０】  キャスタ−付ボックス２には、前後左右に光反射シ−トと前照灯や後部反射灯を付ければ夜間も安全に利用でき、そのほか非常用防犯ブザ−も付けて、更に手首を入れ回してロ−プを握れば盗難防止と転倒や手放し防止にも対応できる。
【００２１】  キャスタ−付ボックス２の中には、小物入れ小箱を複数個重ね、水ボトル置きも設け、仕切りを兼ねて内装に発砲クッションラバ−を張れば保温保冷、耐震動にも効果がある。
【００２２】  キャスタ−付ボックス２は外観的に箱型であり、前後左右の外側を好みの色にすることはもちろん、情報案内や企業広告など自由に模様や仕様ができ、この方向でも多用途に使えるものである。
【００２３】  従来の旅行バッグの取手は、持つためというより全体を横に傾けて引くのが主で坂道や凸凹道では、脇に置いて押すと方向が不安定で危険な場合があるし椅子も無い、シルバ−カ−トの取手は後から中腰で押すので疲れ易く、しかも車幅がありトイレや階段や各種の乗物には無理がある、その他椅子付のものはバッグや椅子が小さく物足りなく頼りなくてスマ−トなイメ−ジも無く、そのような荷車みたいなものは持ち込まれたくないし、椅子とバックしか用途が無い等々従来のカ−トにはそれぞれ問題点欠点が多々あった。
【００２４】  また女性が持つハンドバッグのように、何処へでも持ち込め、老若男女誰でも気軽に使え、身の回りの物や大切な物が常に携行でき、しかもその他にも十種類以上の用途を合わせ持つこのような多目的カ−トが、従来のものには無かった。
【００２５】  従来のボックスカ−トには、トランク底の四隅にキャスタ−を付けたトランクカ−ト、バッグの底にキャスタ−を四つ付け片側に伸縮する取手を付けた旅行バッグカ−ト、椅子式で脇から背のほうに手摺がありその下に物入れがあるシルバ−カ−ト、ショッピングセンタ−にある買物カ−ト、折畳椅子に車輪を付け背に小バックをぶら下げた折畳椅子付小バック付カ−ト等があるが、前述のトランクカ−ト、旅行バッックカ−ト、シルバ−カ−ト、買物カ−トの四つは大き過ぎてトイレ、レストラン、階段、バス、乗用車等には持ち込み辛いし無理、折畳椅子小バック付カ−トは小さすぎてオモチャ的なもので実用的では無いので女性には敬遠されて使用目的も限られ何れも満足できなかった。
【００２６】  本実施形態に係るカ−ト１は、従来にはなかった２１世紀の新しい携行型のカ−トであり、老若男女誰でも使用でき、日常一寸欲しいと思うものは身の回りに置きたいもので、しかも何時でも何処でも直ぐに使える座席シ−トが付いているのである。カ−トを携行することで、一寸した生活用品と水と食料を持ち歩き、暑いときは冷たいもの、寒いときには暖かいものを直ぐに取り出せるのは有り難く最高に幸せを感じるもの、欲しい物便利な物一寸した物などが手元にある安心感を得ることができ、歩くことが楽しく気分爽快になるものです。
【００２７】  ハンドルの把手４の部分は滑らぬように握るところは波形状、ザラザラ状、ソフトなスポンジ状など施し、把手の前部に停止コブを付けたり前部を後部よりやや高めに設けるなどで、より操縦しやすくなる。
【００２８】  操縦ハンドル３の高さは、使用者の身長の約半分に合わせ、ハンドルをスライド調整をする。調整にはプッシュ式、ボルト式、ネジ式、レバ−式などがある。
【００２９】  またカ−ト１は、従来からある持つことを主としたプラプラする取手ではなく、左右二本のパイプ状のハンドルをベルト等で四角形状に係着させ、キャスタ−付ボックス２と回動自在のフック８で複数カ所接合し全体を操作することが可能な操縦ハンドル３としたものであり、座席シ−ト１０を使用する時はその位置からハンドル全てを外すことができると言う従来にない発想であり、加えて天板を反転して複数の利用方法も可能とした。
【００３０】  第一にカ−ト１の操縦ハンドル３は、従来のものにない大きな特徴が二つある。
一つは、操縦ハンドル３がボックス上部の中央の前後に大きくあることによりカ−ト全体を上から押し付けながらの操縦となり、誰にでも前進、後進、右折、左折等舵取りが楽に軽く正確確実な操作が可能、全体の安定と方向操作で走行性、安全性が抜群である。
【００３１】  もう一つは、椅子を使用する時は、その重要な位置と形の操縦ハンドルを完全に下ろして座席シ−トに変え、しかも脚足として更に機能できる事も従来にはなかった。
【００３２】  第二にカ−ト１は、何時でも何処でも自由に座席シ−トを使用でき、ホッとする和みが得られるのは大事なことであり、人は誰でも座りたくなるときが必ずある。
【００３３】  第三にカ−ト１は、健康志向の大本命、ウォ−キングのお供として大いに活用ができる特にお出かけする事が楽しくなり、明るく爽快な人生の為に考案されたものである。
【００３４】  第四にカ−ト１は、常に肌身離さず携行するもので、何処にでも持ち込めるので、女性のハンドバッグや荷物バッグの代用にも当然利用できる。
【００３５】  第五にカ−ト１は、水や薬や食料や非常用品や一寸した生活用品を積み込み、非常時には防災用品の一つとして大いに利用活用ができる。
【００３６】  第六にカ−ト１は、転ばない杖、運動不足の方の健康維持の必需道具として利用できる．
【００３７】  第七にカ−ト１は、歩行弱者のリハビリ補助器具の一つにも随行者の下で利用可能。
【００３８】  第八にカ−ト１は、天板を反転させて買物籠、小テ−ブル、荷物置台、小物台車、脚立など代用可能な機能が数種類以上である。
【００３９】  第九にカ−ト１は、椅子の機能があるので行列のできる所では必需品である。各種イベント行事、野球サッカ−等の各種スポ−ツ観戦、各種歌謡演芸ショウ、各地の観光旅行や祭典等々、そして、何処でも持込めるのでトイレ、レストラン、デパ−ト、乗用車、バス列車、船舶、航空機等々旅行バッグも兼用のカ−トでき、材質やカラ−やデザインなども考慮すれば十数種類以上の多目的使用が可能である。
【産業上の利用可能性】
【００４０】  本発明は、歩き疲れたら何時でも何処でもすぐに座席シ−トが使えるので、健常者は勿論、高齢者、運動不足の方、歩行弱者、体の弱い方などのウォ−キングのお供、歩行補助用、健康保持用としての用途があり、また水や薬、傘、食料、日用品、一寸した生活用品なども積み込めば非常用品、防災用品としても実用的にも大きな用途の可能性もある。
そして、女性のハンドバッグや荷物バッグの代わりにもなり、レストラン、デパ−ト、歌謡ショウ、音楽祭大会、各種のイベント会場、野球やサッカ−等のスポ−ツ観戦、各地のレジャ−施設、各地のお祭り、旅行や観光に、そして大勢の人出のある行事等々にも大きな利用可能性があるものである。そして、人は誰でも座りたくなる時が必ずある。
【符号の説明】
【００４１】  １    カ−ト
２    キャスタ−付ボックス
３    操縦ハンドル
４    ハンドル把手部
５    ハンドル上部部品
５’  上部スライド凹部接合部
６    ハンドル下部部品
６’  下部スライド凸部接合部
７    左右接合ベルトバンド
８    左右側板に設けた回動自在フック
８’  前板、後板に設けた実施例のフック
１０    座席シ−ト
１１    天板
１２    天板裏の縁
１３    左右側板
１３ａ  側板
１３ｂ  前板
１３ｃ  後板
１４    後側板
１５    前輪キャスタ−
１６    後輪キャスタ−
１７    ストッパ−
１８    底板後部突出部
２０    座席使用時の固定板
２１    固定板止め
２２    脚足の時のハンドル
２３    ハンドル固定板
２５    ボックス前板の取手
２６    ボックス後板の取手
【図１】
2016116836.tif 000003
【図２】
2016116836.tif 000004
【図３】
2016116836.tif 000005
【図４】
2016116836.tif 000006
【図５】
2016116836.tif 000007
【図６】
2016116836.tif 000008
【図７】
2016116836.tif 000009
【図８】
2016116836.tif 000010
【図９】
2016116836.tif 000011
【図１０】
2016116836.tif 000012